(57)【要約】【課題】筆記部が定規に接触しないように構成され、簡易に製造できる筆記具を提供すること。【解決手段】筆記具１は、インク誘導部７と、筆記部８と、筆記部８を保持する保持部４及び筆記具本体２に取り付けられる取付部５を有する保持体３と、を備え、保持部４は、先端側が開放されると共に、少なくともいずれか一方の側面側には、筆記体を筆記可能に筆記部８の先端を先端側に突出させた状態で筆記部８の側面に沿って配置される壁部４３１が形成される。【選択図】図９
2020059247.tif 000002
【特許請求の範囲】
【請求項１】
所定方向に延びる筆記具本体と、
前記筆記具本体に収容されたインクを誘導し前記筆記具本体の軸方向に延びるインク誘導部と、
前記インク誘導部の先端側に接続され前記インク誘導部に誘導されたインクを用いて筆記体を筆記可能な筆記部と、
前記筆記部を保持する保持部、及び前記筆記具本体に取り付けられる取付部を有する保持体と、を備え、
前記保持部は、先端側が開放されると共に、少なくともいずれか一方の側面側には、筆記体を筆記可能に前記筆記部の先端を先端側に突出させた状態で前記筆記部の側面に沿って配置される壁部が形成される、
筆記具。
【請求項２】
前記筆記部は、幅方向の長さが、厚さ方向の長さよりも大きく形成され、
前記筆記部の先端は、前記幅方向の一方側が前記幅方向の他方側よりも前記筆記具本体側に位置するように前記筆記具本体の軸方向に対して傾斜して形成され、
前記壁部は、前記筆記部の幅方向の一方側に配置される、
請求項１に記載の筆記具。
【請求項３】
前記インク誘導部と前記筆記部とは、略Ｌ字形状に形成された筆記芯を構成する、
請求項１又は２に記載の筆記具。
【請求項４】
前記保持部は、先端側及び一側面側が開放された溝状の筆記部保持部を有し、
前記筆記部は、前記筆記部保持部の一側面側から前記筆記部保持部に組み付けられ、
前記筆記部保持部は、前記筆記部の移動を規制する規制機構を有する、
請求項１〜３のいずれかに記載の筆記具。
【請求項５】
前記規制機構は、前記保持部の先端側の開放された部分において先端に向けて幅が狭まる溝状の幅狭保持部を有する、
請求項４に記載の筆記具。
【請求項６】
前記保持部は、前記保持体の先端側に配置され前記筆記部が設置される先端側設置面と、前記保持体の一側面側に配置され前記インク誘導部が設置される一側面側設置面と、前記先端側設置面から先端側に立設する一対の先端側リブと、前記一側面側設置面から一側面側に立設する一対の一側面側リブと、を有し、
前記インク誘導部と前記筆記部とは、略Ｌ字形状に形成された筆記芯を構成し、
前記幅狭保持部は、先端側に幅が狭くなる前記一対の先端側リブにより構成され、
前記筆記芯は、前記保持部の先端側において前記一対の先端側リブで構成された前記幅狭保持部により先端側への移動が規制された状態で前記一対の先端側リブと前記先端側設置面とにより前記筆記部が挟持されると共に、前記保持部の一側面側において前記一対の一側面側リブの間に前記インク誘導部が嵌合されることで、前記保持部に取り付けられる、
請求項５に記載の筆記具。
【請求項７】
前記規制機構は、前記保持部の他側面側に形成され前記筆記部に係合する係合規制部を有する、
請求項５又は６に記載の筆記具。
【請求項８】
前記保持体は、筆記時に筆記方向を視認可能な可視部を有する、
請求項１〜７のいずれかに記載の筆記具。
【請求項９】
前記取付部は、前記筆記具本体側を向いて形成される段差面を有し、
前記筆記具本体は、前記筆記具本体の内部に形成され前記保持体側を向いて形成されると共に前記段差面が当接する当接面を有し、
前記当接面は、前記筆記具本体の先端よりも後方側に配置される、
請求項１〜８のいずれかに記載の筆記具。
【請求項１０】
前記筆記具本体は、筒状に形成されており、該筆記具本体の内面から径方向の中心側に突出して形成され前記インク誘導部を前記筆記具本体の径方向の中心側に案内する案内部を有する、
請求項１〜９のいずれかに記載の筆記具。
【発明の詳細な説明】
【技術分野】
【０００１】
本発明は、マーキングペンなどの筆記具に関する。
【背景技術】
【０００２】
従来、マーキングペンなどの筆記具において、先端に設けられインクが誘導される筆記部は、先端が露出している。そのため、定規を用いて線を引く場合に、定規と筆記部の先端とが接触して、定規における筆記部との接触部分にインクが付着し、定規を汚してしまうことがあった。更には、繰り返し定規と接触することで、筆記部が破損してしまう可能性がある。
【０００３】
これに対して、定規を用いて線を引く場合に、定規への筆記部のインクの付着を防止できる筆記具が提案されている（例えば、特許文献１及び２参照）。
特許文献１に記載の筆記具は、筆記部を保持する保持体に２つの貫通孔や２つの溝を設けると共に、筆記部の途中に２股に分けた部分を形成することで、筆記部の２股に分けた部分を、２つの貫通孔や２つの溝に配置して、筆記部が保持体の側面の外側に配置されないように構成されている。これにより、定規を用いて線を引く場合に、保持体の側方の端部が定規に接触するため、筆記部の露出された部分が定規に接触しないように構成されている。
特許文献２に記載の筆記具は、筆記部の外面に被覆部材を設けて、被覆部分において、定規に接触する部分を残した状態で、先端の筆記する部分を削って露出するように構成されている。被覆部材が設けられた部分が定規に接触するため、筆記部の露出された部分が定規に接触しないように構成されている。
【先行技術文献】
【特許文献】
【０００４】
【特許文献１】特開２００１−２５３１９３号公報
【特許文献２】特開２００１−１８５７５号公報
【発明の概要】
【発明が解決しようとする課題】
【０００５】
特許文献１に記載の筆記具は、筆記部を２股に分けた部分を、２つの貫通孔や２つの溝に配置するため、製造する際に手間が掛かり易い。
また、特許文献２に記載の筆記具は、筆記部の外面に被覆部材を設けて、被覆部材を残す部分と削る部分とを形成する場合において、製造する際に手間が掛かり易い。
【０００６】
本発明は、筆記部が定規に接触しないように構成され、簡易に製造できる筆記具を提供することを目的とする。
【課題を解決するための手段】
【０００７】
（１）本発明は、所定方向に延びる筆記具本体と、前記筆記具本体に収容されたインクを誘導し前記筆記具本体の軸方向に延びるインク誘導部と、前記インク誘導部の先端側に接続され前記インク誘導部に誘導されたインクを用いて筆記体を筆記可能な筆記部と、前記筆記部を保持する保持部、及び前記筆記具本体に取り付けられる取付部を有する保持体と、を備え、前記保持部は、先端側が開放されると共に、少なくともいずれか一方の側面側には、筆記体を筆記可能に前記筆記部の先端を先端側に突出させた状態で前記筆記部の側面に沿って配置される壁部が形成される筆記具に関する。
【０００８】
（２）前記筆記部は、幅方向の長さが、厚さ方向の長さよりも大きく形成され、前記筆記部の先端は、前記幅方向の一方側が前記幅方向の他方側よりも前記筆記具本体側に位置するように前記筆記具本体の軸方向に対して傾斜して形成され、前記壁部は、前記筆記部の幅方向の一方側に配置されることが好ましい。
【０００９】
（３）前記インク誘導部と前記筆記部とは、略Ｌ字形状に形成された筆記芯を構成することが好ましい。
【００１０】
（４）前記保持部は、先端側及び一側面側が開放された溝状の筆記部保持部を有し、前記筆記部は、前記筆記部保持部の一側面側から前記筆記部保持部に組み付けられ、前記筆記部保持部は、前記筆記部の移動を規制する規制機構を有することが好ましい。
【００１１】
（５）前記規制機構は、前記保持部の先端側の開放された部分において先端に向けて幅が狭まる溝状の幅狭保持部を有することが好ましい。
【００１２】
（６）前記保持部は、前記保持体の先端側に配置され前記筆記部が設置される先端側設置面と、前記保持体の一側面側に配置され前記インク誘導部が設置される一側面側設置面と、前記先端側設置面から先端側に立設する一対の先端側リブと、前記一側面側設置面から一側面側に立設する一対の一側面側リブと、を有し、前記インク誘導部と前記筆記部とは、略Ｌ字形状に形成された筆記芯を構成し、前記幅狭保持部は、先端側に幅が狭くなる前記一対の先端側リブにより構成され、前記筆記芯は、前記保持部の先端側において前記一対の先端側リブで構成された前記幅狭保持部により先端側への移動が規制された状態で前記一対の先端側リブと前記先端側設置面とにより前記筆記部が挟持されると共に、前記保持部の一側面側において前記一対の一側面側リブの間に前記インク誘導部が嵌合されることで、前記保持部に取り付けられることが好ましい。
【００１３】
（７）前記規制機構は、前記保持部の他側面側に形成され前記筆記部に係合する係合規制部を有することが好ましい。
【００１４】
（８）前記保持体は、筆記時に筆記方向を視認可能な可視部を有することが好ましい。
【００１５】
（９）前記取付部は、前記筆記具本体側を向いて形成される段差面を有し、前記筆記具本体は、前記筆記具本体の内部に形成され前記保持体側を向いて形成されると共に前記段差面が当接する当接面を有し、前記当接面は、前記筆記具本体の先端よりも後方側に配置されることが好ましい。
【００１６】
（１０）前記筆記具本体は、筒状に形成されており、該筆記具本体の内面から径方向の中心側に突出して形成され前記インク誘導部を前記筆記具本体の径方向の中心側に案内する案内部を有することが好ましい。
【発明の効果】
【００１７】
本発明によれば、筆記部が定規に接触しないように構成され、簡易に製造できる筆記具を提供することができる。
【図面の簡単な説明】
【００１８】
【図１】本発明の筆記具を示す斜視図である。
【図２】本発明の筆記具の分解斜視図である。
【図３】筆記具の太字マーカの部分を拡大して示す斜視図である。
【図４】太字側筆記芯を、太字側保持体を介して筆記具本体に組み付ける形態を示す上方側から視た斜視図である。
【図５】太字側筆記芯を、太字側保持体を介して筆記具本体に組み付ける形態を示す下方側から視た斜視図である。
【図６】筆記具において、太字側筆記芯を取り付けた太字側保持体を、筆記具本体に組み付ける形態を示す斜視図である。
【図７Ａ】図３のＡ−Ａ線断面図である。
【図７Ｂ】図３のＢ−Ｂ線断面図である。
【図７Ｃ】図３のＣ−Ｃ線断面図である。
【図８Ａ】図３のＤ−Ｄ線断面図である。
【図８Ｂ】図３のＥ−Ｅ線断面図である。
【図９】筆記具により定規を用いて線を引く場合を示す図である。
【発明を実施するための形態】
【００１９】
以下、本発明の筆記具の一実施形態について、図面を参照しながら説明する。図１は、本発明の筆記具１を示す斜視図である。図２は、本発明の筆記具１の分解斜視図である。図３は、筆記具１の太字マーカ１ａの部分を拡大して示す斜視図である。図４は、太字側筆記芯６を、太字側保持体３を介して筆記具本体２に組み付ける形態を示す上方側から視た斜視図である。図５は、太字側筆記芯６を、太字側保持体３を介して筆記具本体２に組み付ける形態を示す下方側から視た斜視図である。図６は、筆記具１において、太字側筆記芯６を取り付けた太字側保持体３を、筆記具本体２に組み付ける形態を示す斜視図である。図７Ａは、図３のＡ−Ａ線断面図である。図７Ｂは、図３のＢ−Ｂ線断面図である。図７Ｃは、図３のＣ−Ｃ線断面図である。図８Ａは、図３のＤ−Ｄ線断面図である。図８Ｂは、図３のＥ−Ｅ線断面図である。図９は、筆記具１により定規１００を用いて線を引く場合を示す図である。
【００２０】
本実施形態の筆記具１は、例えば、マーキングペンである。図１に示すように、本実施形態の筆記具１は、所定方向に延びて形成され、長手方向の一方側に太字マーカ１ａを備え、長手方向の他方側に細字マーカ１ｂを備える。
【００２１】
図１及び図２に示すように、筆記具１は、筆記具本体２と、太字側保持体３（保持体）と、太字側筆記芯６（筆記芯）と、大キャップ１１と、細字側筆記芯（図示せず）と、小キャップ１２と、を備える。太字側筆記芯６は、インク誘導部７及び筆記部８により略Ｌ字形状に形成される。太字側保持体３には、太字側筆記芯６が取り付けられ、太字側筆記芯６が取り付けられた太字側保持体３は、筆記具本体２に取り付けられる。
【００２２】
なお、本実施形態においては、本発明の筆記具１は、太字マーカ１ａ側の構成が主体となる。そのため、以下の本実施形態の筆記具１の説明において、「先端」は、筆記具１の長手方向において、太字マーカ１ａ側の端部を意味し、「後端」や「後方」は、筆記具１の長手方向において、太字マーカ１ａの「先端と反対側の端部」や「先端と反対側の端部の方向」を意味する。
【００２３】
筆記具本体２について説明する。
筆記具本体２は、図１及び図２に示すように、所定方向に延びる筒状に形成される軸筒部２１と、軸筒部２１の内部に配置される中綿２９と、を有する。
【００２４】
中綿２９は、軸筒部２１の内部に収容され、筆記具本体２の軸方向Ｊに延びる。中綿２９には、筆記用のインクが含浸されている。中綿２９の太字マーカ１ａ側には、太字側筆記芯６が差し込まれ、筆記具１の太字側筆記芯６側の端部（先端）には、大キャップ１１が被せられる。また、中綿２９の細字マーカ１ｂ側には、筆記細芯（図示せず）が差し込まれ、筆記具１の筆記細芯（図示せず）側の端部には、小キャップ１２が被せられる。
【００２５】
軸筒部２１は、本体軸筒２２と、太芯側軸筒２３と、を有する。
【００２６】
本体軸筒２２は、図２に示すように、円筒状に形成される。本体軸筒２２の太字マーカ１ａ側の端部側の内周面には、本体側ネジ溝２２１が形成される。本体側ネジ溝２２１は、太芯側軸筒２３の外周面に形成される太芯側ネジ溝２７に螺合される。本体軸筒２２の細字マーカ１ｂ側の端部には、小キャップ１２が取り付けられる。
【００２７】
太芯側軸筒２３は、図２〜図６に示すように、円筒状に形成される筒部２４と、筒部２４の先端に配置される環状面部２５と、フランジ部２６と、太芯側ネジ溝２７と、軸筒側取付部２８と、を有する。
【００２８】
筒部２４は、図２に示すように、筆記具本体２の軸方向Ｊに延びる。
環状面部２５は、図４〜図６に示すように、筒部２４の先端から、筒部２４の径方向の内側に所定の長さ延びる環状に形成される。環状面部２５は、図７Ａに示すように、軸方向Ｊに対して傾斜して形成されている。環状面部２５の径方向の内側には、図６に示すように、軸方向Ｊに貫通する矩形開口２５１が形成されている。
【００２９】
矩形開口２５１は、図６に示すように、環状面部２５の径方向の中央を長方形状に開口して形成される。矩形開口２５１には、太字側筆記芯６が取り付けられた太字側保持体３の後方側の端部が挿入されて取り付けられる。矩形開口２５１の径方向の一方側（図６において上方側）には、太字側保持体３のインク誘導部７が挿入され、矩形開口２５１の径方向の他方側（図６において下方側）には、太字側保持体３の取付凸部５１が挿入される。
【００３０】
フランジ部２６は、図２に示すように、筒部２４の軸方向Ｊの途中において、筒部２４の外周面から、筒部２４の周方向の全域に亘って円環状に突出して形成される。フランジ部２６の他方側の端面には、本体軸筒２２の太字マーカ１ａ側の端面が当接する。フランジ部２６の一方側の端面には、大キャップ１１の筆記具本体２側の端面が当接する。
【００３１】
太芯側ネジ溝２７は、筒部２４における本体軸筒２２側の端部側の外周面に形成され、本体軸筒２２の本体側ネジ溝２２１に螺合される。
【００３２】
軸筒側取付部２８には、図６、図７Ｂ及び図７Ｃに示すように、太字側筆記芯６を取り付けた太字側保持体３（保持体）が取り付けられる。軸筒側取付部２８は、一対の突出コ字状部２８１と、一対の第１角段部２８２と、一対の第２角段部２８３と、案内傾斜突出部２８４（案内部）（図７Ｂ参照）と、を有する。
【００３３】
一対の突出コ字状部２８１は、図６に示すように、それぞれ、環状面部２５の矩形開口２５１の縁部に配置される。一対の突出コ字状部２８１は、環状面部２５から先端側に突出して形成され、先端側から視た形状が略コ字状に形成される。一対の突出コ字状部２８１は、互いのコ字形状の開放側の部分が、筒部２４の径方向において対向して配置される。
【００３４】
一対の突出コ字状部２８１は、図６、図８Ａ及び図８Ｂに示すように、それぞれ、一対の嵌合部２８１ａと、複数のガイド突起２８１ｂと、を有する。
【００３５】
嵌合部２８１ａは、図６に示すように、突出コ字状部２８１の後端において筒部２４の内部側の縁部により構成される。一対の嵌合部２８１ａは、筒部２４の径方向において対向して配置される。嵌合部２８１ａには、太字側保持体３の後方側の端部に形成される取付部５を矩形開口２５１に挿入することで、図８Ａ及び図８Ｂに示すように、太字側保持体３（後述）の取付部５の取付凸部５１が嵌合する。
【００３６】
複数のガイド突起２８１ｂは、図６に示すように、突出コ字状部２８１の内側面に設けられ、筒部２４の径方向の中心側に円弧状に突出して形成される。複数のガイド突起２８１ｂは、筆記具本体２に対する取付部５の径方向への移動を規制して、筒部２４と取付部５との間のガタツキを防止する。
【００３７】
一対の第１角段部２８２は、図５及び図６に示すように、環状面部２５の矩形開口２５１における筆記具本体２の内部側において、筒部２４の径方向において、インク誘導部７が配置される側の入隅の角部から径方向の内側に凸状に突出する。一対の第１角段部２８２の間には、インク誘導部７が配置される。第１角段部２８２は、軸方向Ｊの先端側を向いて形成される第１当接面２８２ａ（当接面）を有する。
【００３８】
第１当接面２８２ａは、第１角段部２８２の先端側の面により構成され、第１当接面２８２ａには、太字側保持体３の第１段部５２の第１段差面５２１（後述）が当接する。第１当接面２８２ａは、筆記具本体２の径方向の内部側において筆記具本体２の先端よりも後方側に配置される。
【００３９】
第２角段部２８３は、環状面部２５の矩形開口２５１における筆記具本体２の内部側において、インク誘導部７が配置される側と反対側の入隅の角部から径方向の内側に凸状に突出する。第２角段部２８３は、先端側を向いて形成される第２当接面２８３ａ（当接面）を有する。
【００４０】
第２当接面２８３ａは、第２角段部２８３の先端側の面により構成され、第２当接面２８３ａには、太字側保持体３の第２段部５３の第２段差面５３１（後述）が当接する。第２当接面２８３ａは、筆記具本体２の径方向の内側において、筆記具本体２の先端よりも後方側に配置される。
【００４１】
案内傾斜突出部２８４は、図７Ｂに示すように、環状面部２５の矩形開口２５１のインク誘導部７が配置される側の筒部２４の内面の先端側において、筒部２４の内面から径方向の中心側に突出して形成される。案内傾斜突出部２８４は、先端から後方側に向かうに従って突出するように傾斜して形成される。案内傾斜突出部２８４は、インク誘導部７が矩形開口２５１に挿入された場合に、インク誘導部７を筒部２４の径方向の中心側に押圧して、インク誘導部７を筒部２４の径方向の中心側に案内する。中綿２９の径方向の中心側にインク誘導部７を案内できるため、中綿２９からインク誘導部７に、安定してインクを供給できる。
【００４２】
太字側筆記芯６について説明する。太字側筆記芯６は、図５及び図６に示すように、太字側保持体３に取り付けられ、太字側筆記芯６が取り付けられた太字側保持体３は、筆記具本体２に取り付けられる。
【００４３】
太字側筆記芯６は、図５及び図６に示すように、インク誘導部７及び筆記部８を有し、一体で略Ｌ字形状に形成される。太字側筆記芯６は、厚さ方向Ｔに幅を有すると共に、先端側に配置された筆記部８が幅方向Ｗに幅を有して形成される。太字側筆記芯６の幅方向Ｗは、本実施形態における図４〜図６の紙面の上下方向と一致する。太字側筆記芯６の厚さ方向Ｔは、インク誘導部７の径方向のうち、本実施形態における図４〜図６の紙面の水平方向と一致する。
【００４４】
インク誘導部７は、図４に示すように、筆記具本体２の径方向の上方側（一方側）に配置され、筆記具本体２の軸方向Ｊに延びる。インク誘導部７は、筆記具本体２に収容されたインクを筆記部８側に誘導する。インク誘導部７は、太字側保持体３の保持部４の一側面側開放保持部４２（後述）に配置される。インク誘導部７は、太字側保持体３の保持部４の一側面側開放保持部４２において、一対の一側面側リブ４８２（後述）の間に嵌合される。
【００４５】
筆記部８は、多孔体部材で構成され、例えば繊維芯や焼結芯、フェルトなどが用いられるが、インク誘導部に誘導されたインクを用いて筆記体を筆記できるものであれば、これに限定されるものではない。
筆記部８は、インク誘導部７の先端側に接続され、インク誘導部７における筆記具本体２の軸方向Ｊの一方側の先端から、筆記具本体２の径方向の下方側（他方側）に延びる。筆記部８が延びる方向を幅方向Ｗという。筆記部８は、太字側保持体３の保持部４の先端側開放保持部４１（後述）に配置される。筆記部８は、太字側保持体３の保持部４の先端側開放保持部４１において、一対の先端側リブ４８１により構成された幅狭保持部４１１により先端側への移動が規制された状態で、一対の先端側リブ４８１と先端側設置面４７１との間に挟持される。筆記部８が一対の先端側リブ４８１と先端側設置面４７１との間に挟持されることで、筆記時に、筆記部８と太字側保持体３とが、ガタツキなく保持可能となる。筆記部８は、インク誘導部７に誘導されたインクを用いて、被筆記面に文字や線などの筆記体を筆記可能である。
【００４６】
筆記部８は、図４に示すように、先端側に配置される幅狭筆記部８１と、幅狭筆記部８１の後端に接続される後端台座部８２と、幅狭筆記部８１の幅方向Ｗの先端（下方側の端部）に形成される係合凸部８３と、を有する。
【００４７】
幅狭筆記部８１は、図８Ａ及び図８Ｂに示すように、筆記部８の軸方向Ｊの先端側に配置され、軸方向Ｊの先端に向けて厚さ方向Ｔの幅が狭まるように形成される。幅狭筆記部８１の軸方向Ｊの先端は、図７Ａに示すように、側方から視た場合に、インク誘導部７側の上方側（一方側）から下方側（他方側）に向かうに従って筆記具本体２側に向かうように傾斜して形成される。
【００４８】
後端台座部８２は、図４及び図７Ｂに示すように、幅狭筆記部８１の軸方向Ｊの後端に接続される。後端台座部８２は、太字側筆記芯６が太字側保持体３に取り付けられる場合に、軸方向Ｊの後端面が、太字側保持体３の保持部４の先端側設置面４７１（後述）に配置される。
【００４９】
係合凸部８３は、図５及び図７Ｃに示すように、幅狭筆記部８１の幅方向Ｗの先端（下端）における軸方向Ｊの後方側の部分から、幅方向Ｗの下側に突出する。係合凸部８３は、太字側筆記芯６が太字側保持体３に取り付けられる場合に、規制突起４３２と先端側設置面４７１との間に係合される。係合凸部８３が係合規制部４９（規制突起４３２及び先端側設置面４７１）（後述）に係合することにより、太字側筆記芯６の幅方向Ｗの先端側において、筆記部８の軸方向Ｊの先端側及び後方側への移動が規制される。
【００５０】
太字側保持体３について説明する。太字側保持体３には、図３〜図５に示すように、太字側筆記芯６が取り付けられる。太字側保持体３は、板状に形成され、厚さ方向Ｔに幅を有すると共に、幅方向Ｗに幅を有して、軸方向Ｊに延びて形成される。
【００５１】
太字側保持体３は、太字側筆記芯６を保持した状態において、筆記時に筆記方向を視認可能な可視部Ｖを有する。「筆記方向」は、筆記時に書き進む方向を意味する。より詳細には、可視部Ｖは、太字側保持体３が太字側筆記芯６を保持した状態において、筆記時に予め筆記方向に書いてある文字や線（図示せず）を視認可能である。太字側保持体３は、筆記方向に書いてある文字や線を視認可能な材料により形成される。もしくは、筆記方向を視認可能なように可視部の部分を貫通孔としてもよい。本実施形態においては、太字側保持体３は、例えば、透明の材料又は半透明の材料により形成される。太字側保持体３に可視部Ｖを設けることで、筆記方向に筆記されている文字や線などの筆記体が確認できるため、書き終わりや引き終わりが分かり易い。
【００５２】
太字側保持体３は、先端側に配置される保持部４と、保持部４の後端に接続される取付部５と、を有する。
【００５３】
保持部４は、太字側筆記芯６を保持する。保持部４は、図４に示すように、先端側が開放されることで形成され筆記部８を保持する先端側開放保持部４１（筆記部保持部）と、一側面側が開放されることで形成されインク誘導部７を保持する一側面側開放保持部４２と、を有し、他側面側には、他側面閉鎖部４３が配置されている。
先端側開放保持部４１は、幅狭保持部４１１（規制機構）と、係合規制部４９（規制突起４３２及び先端側設置面４７１）（規制機構）と、を有する。
【００５４】
また、保持部４は、図４及び図７Ａに示すように、設置面４７と、一対の先端側リブ４８１，４８１と、一対の一側面側リブ４８２，４８２と、を有する。
【００５５】
設置面４７は、図４及び図７Ｂに示すように、太字側保持体３の先端側に配置される先端側設置面４７１と、太字側保持体３の一側面側に配置される一側面側設置面４７２と、を有する。
先端側設置面４７１は、先端側開放保持部４１の底面を構成し、軸方向Ｊの先端側を向く面であり、筆記具本体２の径方向に延びる。先端側設置面４７１には、筆記部８が設置される。
一側面側設置面４７２は、一側面側開放保持部４２の底面を構成し、一方側の側方を向く面であり、筆記具本体２の軸方向Ｊに延びる。一側面側設置面４７２には、インク誘導部７が設置される。
【００５６】
一対の先端側リブ４８１，４８１は、先端側設置面４７１から先端側に立設されると共に筆記具本体２の軸方向Ｊに交差する方向に対向する。一対の一側面側リブ４８２，４８２は、一側面側設置面４７２から一側面側に立設されると共に筆記具本体２の軸方向Ｊに交差する方向に対向する。
【００５７】
先端側リブ４８１は、図８Ａに示すように、先端側リブ４８１の先端側の部分の外面と筆記部８の幅狭筆記部８１の先端側の部分の外面とを繋ぐ傾斜線Ｋが、筆記具本体２の軸方向Ｊに対して、角度θの範囲に位置されるように形成されることが好ましい。筆記具本体２の軸方向Ｊに対する傾斜線Ｋの角度θは、例えば、４５°以下が好ましく、３５°以下が更に好ましい。
【００５８】
これにより、先端側リブ４８１が筆記部８の幅狭筆記部８１の先端側の部分よりも後方側に位置するため、筆記部８の幅狭筆記部８１の先端の部分は、露出する部分が多くなる。よって、先端側リブ４８１を紙面側に倒すように傾けて筆記具１を使用する場合に、先端側リブ４８１は、先端側リブ４８１を紙面側に倒すように筆記具１を傾けても、筆記具本体２の軸方向Ｊが紙面に対して角度θとなるまで紙面に接触しない。従って、筆記具本体２の軸方向Ｊに対する傾斜線Ｋの角度θとすることで、先端側リブ４８１を紙面側に倒すように傾けた状態での筆記を行い易い。
【００５９】
特に、本発明の筆記具１は、筆記時に可視部Ｖを通して筆記方向を視認できるため、筆記具１をより倒した状態で筆記を行うことがある。このような場合でも、先端側リブ４８１を紙面側に倒すように傾けた状態での筆記を行い易いため、先端側リブ４８１を紙面側に倒した状態で、可視部Ｖを通して筆記方向を視認しながら、より好適に筆記を行うことができる。
【００６０】
先端側開放保持部４１は、図４、図５、図８Ａ及び図８Ｂに示すように、保持部４の先端側及び一側面側が開放されることで形成され、筆記具本体２の径方向に延びる溝状に形成される。先端側開放保持部４１は、幅狭保持部４１１を有する。幅狭保持部４１１は、図８Ａ及び図８Ｂに示すように、一対の先端側リブ４８１により構成され、保持部４の先端側の開放された部分において、軸方向Ｊの先端に向けて厚さ方向Ｔの幅が狭まる溝状に形成される。
【００６１】
幅狭保持部４１１には、図４及び図５に示すように、筆記部８の幅狭筆記部８１が配置される。幅狭保持部４１１は、一対の先端側リブ４８１により筆記部８の幅狭筆記部８１の先端側への移動が規制された状態で、筆記部８を保持し、筆記部８の先端側への移動を規制する規制機構を構成する。筆記部８の幅狭筆記部８１は、先端側開放保持部４１の一側面側から先端側開放保持部４１の幅狭保持部４１１に組み付けられる。
【００６２】
一側面側開放保持部４２は、保持部４の一側面側が開放されることで形成され、筆記具本体２の軸方向Ｊに延びる溝状に形成される。一側面側開放保持部４２は、一対の一側面側リブ４８２により構成される。一側面側開放保持部４２は、一対の一側面側リブ４８２の間にインク誘導部７を挟み込んで嵌合することで、インク誘導部７を保持する。
【００６３】
他側面閉鎖部４３は、図４及び図５に示すように、保持部４の他側面を閉鎖する。他側面閉鎖部４３は、壁部４３１と、規制突起４３２と、を有する。
【００６４】
壁部４３１は、他側面閉鎖部４３の軸方向Ｊの先端において、先端側に半円弧状に突出する。壁部４３１は、図３及び図７Ｂに示すように、太字側保持体３の他側面側に、筆記体を筆記可能に筆記部８の先端を先端側に突出させた状態で筆記部８の他側面に沿って配置される。壁部４３１は、筆記部８の他側面が露出する範囲を、筆記時に定規が筆記部８に接触しない範囲に制限するように、軸方向Ｊの先端側に突出する。
【００６５】
本実施形態においては、保持部４の先端側においては、壁部４３１が、保持部４の他側面閉鎖部４３から軸方向Ｊの先端側に突出して形成され、先端側リブ４８１が、筆記部８の幅狭筆記部８１の先端側の部分よりも後方側に位置する。そのため、保持部４の先端側が開放されると共に、壁部４３１が軸方向Ｊの先端側に突出して形成される。これにより、保持部４の先端側においては、筆記部８の先端の部分は、露出する部分が多くなる。よって、先端側リブ４８１を紙面側に倒すように傾けた状態での筆記を行い易い。
【００６６】
筆記部８は、幅方向Ｗの幅Ｗ１（長さ）（図７Ａ参照）が、厚さ方向Ｔの幅Ｔ１（長さ）（図８Ａ参照）よりも大きく形成される（Ｗ１＞Ｔ１）。より詳細には、本実施形態においては、筆記部８の幅方向Ｗの幅Ｗ１は、図７Ａに示すように、幅方向Ｗにおいて、筆記部８の先端に沿う筆記具本体２の軸方向Ｊに傾斜する方向の長さである。
筆記部８は、幅方向Ｗの幅Ｗ１（描線幅、紙面に接触する部分の幅）が太く形成され、好ましくは２ｍｍ以上の描線幅となる筆記部であり、更に好ましくは３ｍｍ以上の描線幅となる筆記部である。
【００６７】
筆記部８の先端は、図７Ａに示すように、幅方向Ｗの一方側（図７Ａにおける下方側）が他方側（図７Ａにおける上方側）よりも筆記具本体２側に位置するように筆記具本体２の軸方向Ｊに対して傾斜して形成される。壁部４３１は、筆記部８の幅方向Ｗの一方側に配置される。
【００６８】
壁部４３１は、傾斜する筆記部８の先端の両側面のうち、筆記時に手前側にくる側面側に設けられることが好ましい。壁部４３１が筆記部８の幅方向Ｗの一方側に配置されることで、壁部４３１を筆記時に手前側にくる側面側に設けることが可能となり、自然な持ち方で、壁部４３１が定規に接触した状態で筆記可能となる。
【００６９】
図９に示すように、壁部４３１が先端側に突出する長さは、壁部４３１の先端４３１ａの位置が、筆記部８における幅方向Ｗの壁部４３１側の端部の先端８ａの位置よりも、例えば、定規１００の厚さよりも短い距離Ａだけ、後方側に位置するように設定される。「定規１００の厚さよりも短い距離Ａ」は、筆記面である筆記部８の先端８ａから１．５ｍｍ以下であり、好ましくは１．０ｍｍ以下であり、さらに好ましくは０．５ｍｍ以下である。これにより、定規１００を用いて線を引く場合に、壁部４３１の側方の端部が定規に接触するため、筆記部８の露出された部分が定規に接触しない。よって、定規１００を用いて線を引く場合に、定規にインクが付着することが抑制されるため、定規１００が汚れることを防止でき、かつ、筆記部８と定規１００が擦れることにより生じる筆記部８の破損を防止することができる。
【００７０】
規制突起４３２は、図４及び図７Ｃに示すように、先端側設置面４７１から先端側に離間した位置において、他側面閉鎖部４３の先端側の内面から径方向の内側に突出して形成される。規制突起４３２は、厚さ方向Ｔに延びると共に、厚さ方向Ｔの中央が円弧状に凹んで形成される。規制突起４３２及び先端側設置面４７１により構成された係合規制部４９に、筆記部８の係合凸部８３が係合されることで、他側面側において、筆記部８の先端側及び後方側への移動を規制する。規制突起４３２及び先端側設置面４７１は、係合規制部４９を構成する。係合規制部４９は、保持部４の他側面側の他側面閉鎖部４３に形成されており、筆記部８の係合凸部８３に係合することで、筆記部８の先端側及び後方側への移動を規制する規制機構を構成する。
【００７１】
取付部５は、板状に形成され、図５及び図６に示すように、筆記具本体２の軸筒側取付部２８に取り付けられる。取付部５は、一対の取付凸部５１と、一対の第１段部５２と、一対の第２段部５３と、を有する。
【００７２】
一対の取付凸部５１は、太字側保持体３における筆記具本体２側の端部側において、取付部５の厚さ方向Ｔの両側の外面から外側に厚さ方向Ｔに厚くなる板状に突出する。取付凸部５１は、先端側に配置される嵌合板部５１１と、嵌合板部５１１の後方に形成される傾斜導入板部５１２と、を有する。取付凸部５１は、図８Ａ及び図８Ｂに示すように、一対の突出コ字状部２８１の嵌合部２８１ａに嵌合することで、取付部５を筆記具本体２に取り付けることができる。
【００７３】
一対の第１段部５２は、図５及び図６に示すように、太字側保持体３の軸方向Ｊにおける筆記具本体２側の端部側において、一対の一側面側リブ４８２の後端をＬ字状に切り欠いて形成される。第１段部５２は、第１段差面５２１（段差面）を有する。第１段差面５２１は、第１段部５２の先端側に形成され、後方側（筆記具本体２側）を向いて形成される。第１段差面５２１は、筆記具本体２の先端側において筆記具本体２の内部側に配置される第１角段部２８２の第１当接面２８２ａに当接する。
【００７４】
一対の第２段部５３は、図５及び図６に示すように、太字側保持体３の軸方向Ｊにおける筆記具本体２側の端部側において、他側面閉鎖部４３の後端の角部を直方体形状に切り欠いて形成される。第２段部５３は、第２段差面５３１（段差面）を有する。第２段差面５３１は、第２段部５３の先端側に形成され、後方側（筆記具本体２側）を向いて形成される。第２段差面５３１は、筆記具本体２の先端側において筆記具本体２の内部側に配置される第２角段部２８３の第２当接面２８３ａに当接する。
【００７５】
次に、本実施形態に係る筆記具１を組み立てる方法について説明する。
まず、図４及び図５に示すように、太字側筆記芯６を太字側保持体３に組み付ける。具体的には、太字側筆記芯６を、一側面側から太字側保持体３に組み付けることで、先端側開放保持部４１において、一対の先端側リブ４８１で構成された幅狭保持部４１１により先端側への移動が規制された状態で一対の先端側リブ４８１と先端側設置面４７１とにより筆記部８が挟持されると共に、一側面側開放保持部４２において、一対の一側面側リブ４８２の間にインク誘導部７が嵌合される。
【００７６】
これにより、略Ｌ字形状の太字側筆記芯６を太字側保持体３の幅方向Ｗの一側面側から挿入するだけで、太字側筆記芯６を太字側保持体３に簡単に組み付けることができる。
太字側筆記芯６は、略Ｌ字形状に形成されるため、コ字形状に形成するよりも、太字側保持体３の可視部Ｖを大きく設けることができる。
【００７７】
また、筆記部８の幅狭筆記部８１が先端側開放保持部４１の幅狭保持部４１１に配置されることで、太字側筆記芯６の軸方向Ｊの先端側への移動が規制される。また、規制突起４３２及び先端側設置面４７１により構成された係合規制部４９に、筆記部８の係合凸部８３が係合されることで、幅方向Ｗの他側面側において、筆記部８の先端側及び後方側への移動が規制される。これにより、太字側保持体３の軸方向Ｊへの太字側筆記芯６（筆記部８）の抜けを防止することができる。
【００７８】
続けて、図６に示すように、太字側筆記芯６を取り付けた太字側保持体３の取付部５を、筆記具本体２の先端に取り付ける。具体的には、太字側筆記芯６を取り付けた太字側保持体３の取付部５を、先端側から、筆記具本体２の矩形開口２５１に挿入する。これにより、図８Ａ及び図８Ｂに示すように、一対の取付凸部５１を、一対の突出コ字状部２８１の嵌合部２８１ａに嵌合させることで、太字側保持体３の取付部５を筆記具本体２に取り付けることができる。
【００７９】
ここで、一対の取付凸部５１が、一対の嵌合部２８１ａに嵌合させることで、太字側保持体３の取付部５を筆記具本体２に取り付けるため、太字側保持体３を筆記具本体２から抜けないように取り付けることができる。
また、太字側保持体３の取付部５が板状に形成されると共に、筆記具本体２の矩形開口２５１が長方形状に開口するため、太字側保持体３の取付部５は、筆記具本体２に対して回転しにくい。
【００８０】
また、筆記具本体２の内部において、筆記具本体２の第１当接面２８２ａには、太字側保持体３の第１段部５２の第１段差面５２１が当接する。また、筆記具本体２の内部において、筆記具本体２の第２当接面２８３ａには、太字側保持体３の第２段部５３の第２段差面５３１が当接する。本実施形態においては、第１当接面２８２ａ及び第２当接面２８３ａが、筆記具本体２の径方向の内側において筆記具本体２の先端よりも後方側に配置される。これにより、段差面５２１，５３１と当接面２８２ａ，２８３ａとの当接部分が、筆記具本体２の内部に位置されるため、太字側保持体３の取付部５と筆記具本体２との隙間が見えにくい。
【００８１】
また、図７Ｂに示すように、環状面部２５の矩形開口２５１のインク誘導部７が配置される側の筒部２４の内面の軸方向Ｊの先端側において、先端から後方側に向かうに従って突出するように傾斜して形成される案内傾斜突出部２８４を設けることで、案内傾斜突出部２８４により、中綿２９の径方向の中心側にインク誘導部７を案内できるため、中綿２９からインク誘導部７に、安定してインクを供給できる。
【００８２】
以上説明した本実施形態の筆記具１によれば、以下のような効果を奏する。
【００８３】
（１）筆記具１を、所定方向に延びる筆記具本体２と、インク誘導部７と、筆記部８と、筆記部８を保持する保持部４と、筆記具本体２に取り付けられる取付部５と、を有する保持体３と、を含んで構成し、保持部４を、先端側が開放されると共に、少なくともいずれか一方の側面側には、筆記体を筆記可能に筆記部８の先端を先端側に突出させた状態で筆記部８の側面に沿って配置される壁部４３１が形成されるように構成した。
これにより、定規１００を用いて線を引く場合に、壁部４３１の側方の端部が定規に接触するため、筆記部８の露出された部分が定規に接触しない。そのため、定規１００を用いて線を引く場合に、定規にインクが付着することが抑制されるため、筆記部８が汚れることを防止でき、かつ、筆記部８と定規１００が擦れることにより生じる筆記部８の破損を防止することができる。
よって、筆記部８が定規に接触しないように構成され、かつ、筆記具１を簡易に製造できる。
また、本実施形態においては、保持部４の先端側が開放されると共に、壁部４３１が軸方向Ｊの先端側に突出して形成される。これにより、保持部４の先端側においては、筆記部８の先端の部分は、露出する部分が多くなる。よって、紙面側に倒すように傾けた状態での筆記を行い易い。
【００８４】
（２）筆記部８は、幅方向Ｗの幅Ｗ１が、厚さ方向Ｔの幅Ｔ１よりも大きく形成され、筆記部８の先端は、幅方向Ｗの一方側が他方側よりも筆記具本体２側に位置するように筆記具本体２の軸方向Ｊに対して傾斜して形成され、壁部４３１は、筆記部８の幅方向Ｗの一方側に配置される。これにより、壁部４３１を筆記部８における筆記時に手前側の側面側に設けることが可能となり、自然な持ち方で、壁部４３１が定規に接触した状態で筆記可能となる。
【００８５】
（３）インク誘導部７と筆記部８とは、略Ｌ字形状に形成された筆記芯６を構成する。
これにより、太字側筆記芯６が略Ｌ字形状に形成されるため、略Ｌ字形状の太字側筆記芯６を太字側保持体３の一側面側から挿入するだけで、太字側筆記芯６を太字側保持体３に簡単に組み付けることができる。
【００８６】
（４）保持部４を、先端側及び一側面側が開放された溝状の先端側開放保持部４１を有して構成し、筆記部８を、先端側開放保持部４１の一側面側から先端側開放保持部４１に組み付けられるように構成し、先端側開放保持部４１を、筆記部８の移動を規制する規制機構（幅狭保持部４１１、係合規制部４９）を有して構成した。
これにより、太字側筆記芯６を太字側保持体３の一側面側から挿入するだけで、太字側筆記芯６を太字側保持体３に簡単に組み付けることができる。
また、筆記部８の幅狭筆記部８１が先端側開放保持部４１の幅狭保持部４１１に配置されることで、太字側筆記芯６の軸方向Ｊの先端側への移動が規制される。また、規制突起４３２及び先端側設置面４７１（係合規制部４９）に、筆記部８の係合凸部８３が係合されることで、幅方向Ｗの他側面側において、筆記部８の先端側及び後方側への移動が規制される。これにより、太字側保持体３の軸方向Ｊへの太字側筆記芯６（筆記部８）の抜けを防止することができる。
【００８７】
（５）規制機構は、保持部４の先端側の開放された部分において先端に向けて幅が狭まる溝状の幅狭保持部４１１を有する。これにより、簡易な構成で、太字側筆記芯６の軸方向Ｊの先端側への移動を規制することができる。
【００８８】
（６）保持部４は、太字側保持体３の先端側に配置され筆記部８が設置される先端側設置面４７１と、太字側保持体３の一側面側に配置されインク誘導部７が設置される一側面側設置面４７２と、先端側設置面４７１から先端側に立設する一対の先端側リブ４８１と、一側面側設置面４７２から一側面側に立設する一対の一側面側リブ４８２と、を有し、幅狭保持部４１１は、先端側に幅が狭くなる一対の先端側リブ４８１により構成され、筆記芯６は、保持部４の先端側において幅狭保持部４１１により先端側への移動が規制された状態で一対の先端側リブ４８１と先端側設置面４７１とにより筆記部８が挟持されると共に、保持部４の一側面側において一対の一側面側リブ４８２の間にインク誘導部７が嵌合されることで、保持部４に取り付けられる。
これにより、太字側筆記芯６を太字側保持体３の一側面側から挿入するだけで、太字側筆記芯６を太字側保持体３に簡単に組み付けることができると共に、太字側筆記芯６が太字側保持体３から抜けにくい構成とすることができる。
【００８９】
（７）規制機構は、保持部４の他側面側に形成され筆記部８に係合する係合規制部４９を有する。これにより、簡易な構成で、太字側筆記芯６の軸方向Ｊの先端側及び後方側への移動を規制することができる。
【００９０】
（８）太字側保持体３は、筆記時に筆記方向に視認可能な可視部Ｖを有する。これにより、太字側保持体３に可視部Ｖを設けることで、筆記方向に筆記された文字や線などの筆記体が確認できるため、書き終わりや引き終わりが分かり易い。
【００９１】
（９）取付部５は、筆記具本体２側を向いて形成される段差面５２１，５３１を有し、筆記具本体２は、筆記具本体２の内部に形成され太字側保持体３側を向いて形成されると共に段差面５２１，５３１が当接する当接面２８２ａ，２８３ａを有し、当接面２８２ａ，２８３ａは、筆記具本体２の先端よりも後方側に配置される。
これにより、段差面５２１，５３１と当接面２８２ａ，２８３ａとの当接部分が、筆記具本体２の内部に位置されるため、太字側保持体３の取付部５と筆記具本体２との隙間が見えにくい。よって、意匠性を向上できる。
【００９２】
（１０）筆記具本体２は、筒状に形成されており、筆記具本体２の内面から径方向の中心側に突出して形成されインク誘導部７を筆記具本体２の径方向の中心側に案内する案内傾斜突出部２８４を有する。
これにより、案内傾斜突出部２８４により中綿２９の径方向の中心側にインク誘導部７を案内できるため、中綿２９からインク誘導部７に、安定してインクを供給できる。
【００９３】
以上、本発明の筆記具１の好ましい一実施形態について説明したが、本発明は上記実施形態には制限されず、本発明の趣旨を逸脱しない限り適宜変更が可能である。
例えば、前記実施形態では、本発明の筆記具として、インクを含有した中綿を用いたマーキングペンを例に説明したが、これに限らない。例えば、筆記具として、バルブ機構や蛇腹機構を用いた直液式にも適用可能である。
【００９４】
また、前記実施形態では、略Ｌ字形状の太字側筆記芯６を、インク誘導部７及び筆記部８により一体で構成した。太字側筆記芯６を一体で構成する場合に、太字側筆記芯６を一部品で構成してもよいし、太字側筆記芯６をインク誘導部７及び筆記部８の別々の部品で構成して互いを接続してもよい。また、インク誘導部７を保持体に直接形成された穴で構成してもよい。
【００９５】
また、前記実施形態の保持部４において、筆記部８またはインク誘導部７が接触する面に（先端側設置面４７１、一側面側設置面４７２、先端側リブ４８１、一側面側リブ４８２）に凹凸やシボが設けられていても良い。筆記部８またはインク誘導部７が接触する面に凹凸やシボを設けることにより、筆記部８またはインク誘導部７を、保持部４から抜けづらくすることができる。
【符号の説明】
【００９６】
１  筆記具
２  筆記具本体
３  太字側保持体（保持体）
４  保持部
５  取付部
６  太字側筆記芯（筆記芯）
７  インク誘導部
８  筆記部
４１  先端側開放保持部（幅狭保持部）
４７  設置面
４９  係合規制部（規制機構）
８１  幅狭筆記部
４１１  幅狭保持部（規制機構）
４３１  壁部
４７１  先端側設置面
４７２  一側面側設置面
４８１  先端側リブ
４８２  一側面側リブ
Ｖ  可視部
【図１】
2020059247.tif 000003
【図２】
2020059247.tif 000004
【図３】
2020059247.tif 000005
【図４】
2020059247.tif 000006
【図５】
2020059247.tif 000007
【図６】
2020059247.tif 000008
【図７Ａ】
2020059247.tif 000009
【図７Ｂ】
2020059247.tif 000010
【図７Ｃ】
2020059247.tif 000011
【図８Ａ】
2020059247.tif 000012
【図８Ｂ】
2020059247.tif 000013
【図９】
2020059247.tif 000014